(57)【要約】【課題】斜方向からの視野角特性を改善することが可能な液晶表示装置およびこれを備えた電子機器を提供する。【解決手段】位相差層４０を構成する重合性液晶４１を、基板法線方向にツイストした状態で固定させることにより、斜方向観察時のコントラストを改善する。第１偏光板６１、液晶層３０および位相差層４０を、楕円偏光となる状態を含む所定の角度に配置する。楕円偏光とすることにより、液晶層３０の電圧状態を変化させ、液晶層３０のリタデーションを変えて偏光状態を制御することにより、反射率を制御する。【選択図】図３
2010049192.tif 000002
【特許請求の範囲】
【請求項１】
一対の基板と、
前記一対の基板の間に設けられた液晶層と、
前記一対の基板のうちの一方における前記液晶層側に設けられると共に重合性液晶により構成され、前記重合性液晶が基板法線方向にツイストした状態で固定されている位相差層と、
前記位相差層の観察面とは反対側に、部分的または全体に設けられた反射板と、
前記位相差層より観察面側に設けられた第１偏光板と
を備えた液晶表示装置。
【請求項２】
前記第１偏光板、前記液晶層および前記位相差板は所定の角度に配置されており、前記第１偏光板、前記液晶層および前記位相差板を透過した光が楕円偏光となる状態を含む
請求項１記載の液晶表示装置。
【請求項３】
前記第１偏光板の吸収軸を０度とした場合に、前記液晶層の遅相軸は略９０度であり、前記液晶層のリタデーションは１００〜１５０ｎｍであり、前記位相差層の遅相軸は略１０〜２５度であり、前記位相差層のリタデーションは略２００〜２８０ｎｍであり、前記位相差層のツイスト角は１８０〜２２０°である
請求項２記載の液晶表示装置。
【請求項４】
前記第１偏光板の吸収軸を０度とした場合に、前記液晶層の遅相軸は略９０度であり、前記液晶層のリタデーションは１００〜１５０ｎｍであり、前記位相差層の遅相軸は略１０〜２５度であり、前記位相差層のリタデーションは略２００〜２８０ｎｍであり、前記位相差層のツイスト角は５〜４５°である
請求項２記載の液晶表示装置。
【請求項５】
前記２枚の基板のうち一方に共通電極と画素電極とを有しており、前記共通電極と前記画素電極との間に電圧を印加した際に前記基板に対して略平行な電界を発生させることにより印加電圧に応じて前記液晶層のダイレクタが変化するようになっている
請求項１記載の液晶表示装置。
【請求項６】
画素内に透過表示部と反射表示部とを有しており、前記反射表示部には前記反射板と前記位相差層とが配置されている
請求項１記載の液晶表示装置。
【請求項７】
前記位相差層は、ネマチック規則性を有する
請求項１記載の液晶表示装置。
【請求項８】
前記位相差層のプレチルト角は前記基板に対して略水平である
請求項７記載の液晶表示装置。
【請求項９】
前記液晶層と前記第１偏光板の間に、Ｚ方向に屈折率最大となる位相差板が配置されている
請求項１記載の液晶表示装置。
【請求項１０】
前記位相差板は、ポジティブＣプレートである
請求項９記載の液晶表示装置。
【請求項１１】
前記液晶層と前記第１偏光板との間にＡプレートが配置されている
請求項１０記載の液晶表示装置。
【請求項１２】
前記位相差板は、前記反射表示部と前記透過表示部とでリタデーションが異なる
請求項６記載の液晶表示装置。
【請求項１３】
前記透過表示部の前記位相差層は概ね除去されている
請求項１２記載の液晶表示装置。
【請求項１４】
前記位相差層は、カラーフィルター層と一体となっている
請求項１記載の液晶表示装置。
【請求項１５】
前記位相差層は、重合性液晶モノマーを三次元架橋させた構成を有する
請求項１記載の液晶表示装置。
【請求項１６】
前記反射板の観察面とは反対側に、第２偏光板を備えた
請求項１記載の液晶表示装置。
【請求項１７】
液晶表示装置を備えた電子機器であって、
前記液晶表示装置は、
２枚の基板と、
前記２枚の基板の間に設けられた液晶層と、
前記２枚の基板のうちの一方における前記液晶層側に設けられると共に重合性液晶により構成され、前記重合性液晶が基板法線方向にツイストした状態で固定されている位相差層と、
前記位相差層の観察面とは反対側に、部分的または全体に設けられた反射板と、
前記位相差層より観察面側に設けられた第１偏光板と
を備えた電子機器。
【発明の詳細な説明】
【技術分野】
【０００１】
本発明は、反射型または半透過型の液晶表示装置およびこの液晶表示装置を備えた電子機器に関する。
【背景技術】
【０００２】
液晶表示装置のλ／４板の構成方法として、λ／４板とλ／２板とを組み合わせることが知られている。更に、例えば半透過型の横電界駆動液晶モードとして、反射表示部にのみ位相差板（λ／２板）を設け、液晶層をλ／４とする方法が提案されている（例えば、特許文献１参照。）。
【特許文献１】特開２００５−３３８２５６号公報
【発明の開示】
【発明が解決しようとする課題】
【０００３】
しかしながら、特許文献１の方法では、電圧を印加しない黒表示をした場合、正面方向観察時の透過率が最も低くなるが、斜方向観察時は光漏れがしてしまい、コントラストが低下してしまうという問題があった。これは、正面方向の液晶相と位相差板（λ／２板）とのリタデーションは概ね広帯域（波長依存性の低い）のλ／４板であるのに対し、斜方向から観察した場合は広帯域からずれてしまうことによるものであった。
【０００４】
本発明はかかる問題点に鑑みてなされたもので、その目的は、斜方向からの視野角特性を改善することが可能な液晶表示装置およびそれを備えた電子機器を提供することにある。
【課題を解決するための手段】
【０００５】
本発明による液晶表示装置は、以下の（Ａ）〜（Ｅ）の構成要件を備えたものである。
（Ａ）一対の基板
（Ｂ）一対の基板の間に設けられた液晶層
（Ｃ）一対の基板のうちの一方における液晶層側に設けられると共に重合性液晶により構成され、重合性液晶が基板法線方向にツイストした状態で固定されている位相差層
（Ｄ）位相差層の観察面とは反対側に、部分的または全体に設けられた反射板
（Ｅ）位相差層より観察面側に設けられた第１偏光板
【０００６】
本発明による電子機器は、液晶表示装置を備えたものであって、液晶表示装置は、上記本発明の液晶表示装置により構成されたものである。
【０００７】
本発明による液晶表示装置、または本発明による電子機器では、一対の基板のうちの一方における液晶層側に、重合性液晶よりなる位相差層が形成されており、この位相差層の重合性液晶が基板法線方向にツイストした状態で固定されているので、正面方向観察時のコントラストは変わることなく、斜方向観察時のコントラストが改善される。
【発明の効果】
【０００８】
本発明の液晶表示装置、または本発明の電子機器によれば、一対の基板のうちの一方における液晶層側に、重合性液晶よりなる位相差層を設け、この位相差層の重合性液晶が基板法線方向にツイストした状態で固定されているようにしたので、斜方向からの視野角特性を改善することが可能となる。
【発明を実施するための最良の形態】
【０００９】
以下、本発明の実施の形態について、図面を参照して詳細に説明する。
【００１０】
（第１の実施の形態）
図１は、本発明の第１の実施の形態に係る液晶表示装置の概略構成を表したものである。この液晶表示装置は、電子辞書，ＰＤＡ（Personal Digital Assistant），携帯電話，デジタルスチルカメラ，ビデオカメラ，電子書籍などの電子機器用表示モニタとして用いられる反射型のものであり、例えば、第１基板（ＣＦ側基板）１０および第２基板（ＴＦＴ側基板）２０の間に、液晶層３０を有している。第２基板２０の液晶層３０側には、重合性液晶４１よりなる位相差層４０が設けられている。この位相差層４０の観察面Ｐと反対側には、全体に、反射板５０が形成されている。第１基板１０には第１偏光板６１が設けられている。なお、位相差層４０と反射板５０との間には配向膜４２が設けられている。
【００１１】
第１基板１０および第２基板２０は、ガラス等により構成され、第１基板１０には後述するカラーフィルタ、第２基板２０には後述するＴＦＴが設けられている。
【００１２】
液晶層３０は、例えば誘電異方性が正または負のネマティック液晶、スメクティック液晶、コレステリック液晶などの液晶材料より構成され、例えばＶＡ（Vertical Alignment）モード、ＩＰＳ（In Plane Switching）モード、ＦＦＳ（Fringe Field Switching）モード、ＴＮ（Twisted Nematic）モードなどのセル構造を有している。
【００１３】
位相差層４０は、例えば視野角補償用の位相差フィルムとしての機能を有するものであり、重合性液晶４１よりなる液晶分子の配列（配向状態）によって、所定のリタデーションが得られるようになっている。重合性液晶４１は、基板法線方向にツイストした状態で固定されている。すなわち、重合性液晶４１は、ツイストネマチック（ＴＮ）液晶のように液晶分子長軸の方向が連続的に変化して配列しており、また、後述する重合性液晶モノマーを三次元架橋させた構成を有することにより配向が固定化されている。これにより、この液晶表示装置では、斜方向からの視野角特性を改善することができるようになっている。
【００１４】
位相差層４０は、ネマチック規則性を有する重合性液晶４１により構成されていることが好ましい。位相差層４０を容易に形成することができるからである。
【００１５】
また、位相差層４０の重合性液晶４１のプレチルト角は第２基板２０に対して略水平であることが好ましい。斜方向から観察した場合の色つきを低減することができるからである。なお、重合型液晶４１のチルト角は低いほど好ましいが、表示に影響を与えない範囲でチルト角を有していてもよい。
【００１６】
このような位相差層４０の重合性液晶４１は、例えば、化１ないし化４に示した重合可能なネマチック液晶モノマーを三次元架橋させた構成を有していることが好ましい。なお、重合性液晶４１は、化１ないし化４に示した化合物を、単独または必要に応じて２つ以上含んでいてもよい。
【００１７】
【化１】
2010049192.tif 000003
【００１８】
【化２】
2010049192.tif 000004
【００１９】
【化３】
2010049192.tif 000005
【００２０】
【化４】
2010049192.tif 000006
【００２１】
配向膜４２は、位相差層４０の重合性液晶４１の第２基板２０側の配向軸を決定するためのものであり、例えばポリイミド（ＰＩ）、ポリアミド、ポリビニルアルコールなどの樹脂材料に、ラビングなどの配向処理を施したものにより構成されている。あるいは、ラビング済みのポリイミド付きのガラス基板、または、配向性を有する支持基板、例えば延伸フィルムなどを用いることにより、第２基板２０と配向膜４２とが一体となっている構成であってもよい。
【００２２】
反射膜５０は、例えば、厚みが１０ｎｍ〜１０００ｎｍ程度であり、アルミニウム（Ａｌ）あるいは銀（Ａｇ）またはこれらを含む合金により構成されている。また、反射膜５０は、誘電多層膜により構成されていてもよい。
【００２３】
第１偏光板６１、液晶層３０および位相差層４０は所定の角度に配置されており、これらを透過した光が楕円偏光となる状態を含んでいる。楕円偏光とすることにより、液晶層３０の電圧状態を変化させ、液晶層３０のリタデーションを変えて偏光状態を制御することにより、反射率を制御することができるからである。
【００２４】
このような配置の一例としては、例えば、第１偏光板６１の吸収軸を０度とした場合に、液晶層３０の遅相軸は略９０度であり、液晶層３０のリタデーションは１００〜１５０ｎｍであり、位相差層４０の遅相軸は略１０〜２５度であり、位相差層４０のリタデーションは略２００〜２８０ｎｍであり、位相差層４０のツイスト角は１８０〜２２０°である場合が挙げられる。この配置では、正面方向の表示特性は、重合性液晶がツイストしていない場合と同レベルであり、かつ斜方向からの表示特性が改善される。
【００２５】
また、他の配置例としては、例えば、第１偏光板６１の吸収軸を０度とした場合に、液晶層３０の遅相軸は略９０度であり、液晶層３０のリタデーションは１００〜１５０ｎｍであり、位相差層４０の遅相軸は略１０〜２５度であり、位相差層４０のリタデーションは略２００〜２８０ｎｍであり、位相差層４０のツイスト角は５〜４５°である場合が挙げられる。この配置でも、正面方向の表示特性は、重合性液晶がツイストしていない場合と同レベルであり、かつ斜方向からの表示特性が改善される。
【００２６】
このような液晶表示装置は、例えば、次のようにして製造することができる。
【００２７】
まず、第２基板２０に上述した材料よりなる反射板５０および配向膜４２を順に形成したのち、この配向膜４２に対してラビング処理などの配向規制処理を施す。ラビング処理は、例えば、レーヨン、綿、ポリアミド、ポリメチルメタアクリレートなどの材料からなるラビング布を金属ロールに捲きつけ、このロールを配向膜１２に接した状態で回転させることによって施すことができる。
【００２８】
次いで、化１〜化４に示した重合可能なネマチック液晶モノマーと、界面活性剤と、光重合開始剤とを溶媒に混合し、この混合物をスピンコート等により配向膜４２上に塗布する。また、ネマチック液晶モノマーには、所望のツイスト角に応じてカイラル剤を添加する。カイラル剤としては、分子に重合可能な基を１つ以上有することが好ましい。
【００２９】
溶媒としては、液晶材料が可溶な各種溶媒、例えば、トルエン、キシレン、アセトン、メチルエチルケトン、シクロヘキサノン、シクロペンタノン、ＰＧＭＥ（プロピレングリコールモノメチルエーテル）、ジエチレングリコールジメチルエーテル、ジエチレングリコールメチルエチルエーテル、ＰＧＭＥＡ（プロピレングリコールモノメチルエーテルアセテート、酢酸エチル）などの単一または混合溶媒を用いることができる。
【００３０】
界面活性剤としては、アクリル系、シリコーン系、フッ素系などを単独または複数種を混合したものを用いることができる。アクリル系の材料としては、ＢＹＫ３６１、３０７、３２５、３４４、３５２、３５４、３９２（以上、ビックケミー社製商品名）、ポリフロー４６１（共栄社化学社製商品名）を挙げることができる。フッ素系材料としては、ＳＣ１０１，ＳＣ３８６（以上、ＡＧＣ社製商品名）、メガファックＲ−０８、Ｒ−９０、Ｆ−４３０（以上、大日本インキ社製商品名）、ＤＭＡＯＰ（アズマックス社製商品名）、シリコーン系材料としては、KF-643、X22-1927（信越化学工業社製商品名）等を用いることができる。界面活性剤の添加量は、液晶の配向を阻害しない範囲で適宜添加することができるが、一般的には液晶材料に対して０．００１ｗｔ％〜１０ｗｔ％程度が好ましく、さらに好ましくは、０．０１ｗｔ％〜５ｗｔ％程度が好ましい。このような界面活性剤は、この重合性液晶組成物を用いた光学素子において、重合性液晶モノマーのチルト角を制御するものであり、面内で傾斜角の均一なチルト角で重合性液晶モノマーを配向させた光学素子を形成することができる。
【００３１】
光重合開始剤としては、チオキサントン系光重合開始剤（例、２，４-ジエチルチオキサントン、２−クロロチオキサントン）、ベンゾフェノン系光重合開始剤（例、ベンゾフェノン、（４−（メチルフェニルチオ）フェニル）フェニルメタノン）やアントラキノン系光重合開始剤（例、エチルアントラキノン）を用いることができる。市販の光重合開始剤（チバジャパン製のIrgacure１８４、Irgacure３６９、Irgacure６５１、Irgacure８１９、Irgacure９０７、IrgacureＯＸＥ０２、IrgacureＯＸＥ０１、Darocur １１７３、Darocur ４２６５）なども用いることができ、必要に応じて２つをブレンドさせても良い。また、他の光重合開始剤や重合開始助剤をブレンドして用いても良い。添加量としては、配向を損なわない範囲で添加でき、一般的に０．０１〜１５重量％、好ましくは０．１〜１２重量％、より好ましくは０．５〜１０重量％の範囲で重合性液晶モノマーに添加することができる。
【００３２】
続いて、減圧処理を行い、真空中において溶媒を除去することにより液晶層を形成する。
【００３３】
そののち、加温により液晶相〜等方相にする配向処理を行い、露光により三次元架橋処理を施す。露光時の温度は室温〜等方相−αの間とすることが好ましく、雰囲気は酸素（Ｏ２）を含まないほうが好ましい。露光は、例えば紫外線（ＵＶ）を照射することにより行う。紫外線ＵＶを照射する光源としては、例えば低圧水銀灯、高圧水銀灯、超高圧水銀灯などの水銀励起光源や、キセノン光源を用いることができる。ただし、光開始剤の感度の高い波長領域に強度ピークを有する光源を選択することが好ましい。これにより、液晶層内の分子を三次元の鎖状あるいは網状に結合させ、液晶層を硬化させることができる。なお、この三次元架橋処理は、紫外線の他にも、粒子線や電磁線などの放射線を照射することによっても施すことができる。
【００３４】
露光したのち、三次元架橋処理を施した液晶層に対して、さらに架橋を促進させるために重合処理を施す。重合処理は、例えば空気または窒素雰囲気中で、１５０℃〜２３０℃程度で、０．５ｈ〜数時間の熱処理を施すこと（熱重合）により行う。これにより、液晶層内の分子が重合し、重合型液晶４１よりなる位相差層４０が形成される。
【００３５】
位相差層４０を形成したのち、第１基板１０と第２基板２０とを対向配置して外周を封止し、内部に液晶を注入することにより液晶層３０を形成する。以上により、図１に示した液晶表示装置が形成される。
【００３６】
この液晶表示装置では、図示しない一対の電極の間に所定の電圧が印加されると、液晶層３０の液晶分子の配向状態が変化して透過率が変化する。第１基板１０側から入射した外光ｈ１は、反射膜５０によって反射され、その反射光ｈ２が取り出される。ここでは、
第２基板２０の液晶層３０側に、重合型液晶４１よりなる位相差層４０が設けられており、重合性液晶４１が基板法線方向にツイストした状態で固定されているので、正面方向観察時のコントラストは変わることなく、斜方向観察時のコントラストが改善される。
【００３７】
このように本実施の形態では、第２基板２０の液晶層３０側に、重合型液晶４１よりなる位相差層４０が設けられており、重合型液晶４１が基板法線方向にツイストした状態で固定されているので、斜方向からの視野角特性を改善させることが可能となる。
【００３８】
（第２の実施の形態）
図２は、本発明の第２の実施の形態に係る半透過型の液晶表示装置の概略構成を表したものである。この液晶表示装置は、電子辞書，ＰＤＡ，携帯電話，デジタルスチルカメラ，ビデオカメラ，電子書籍などの電子機器用表示モニタとして用いられるものであり、画素内に透過表示部７１と反射表示部７２とを有し、反射表示部７２には反射板５０と位相差層４０とが設けられていることを除いては、上述した第１の実施の形態の反射型のものと同様に構成されている。
【００３９】
第２基板２０には第２偏光板６２が設けられている。第１偏光板６１および第２偏光板６２は、特定の方向に振動する偏光を透過させるようになっており、それぞれの透過軸が、互いに直交するように配置されている。
【００４０】
透過表示部７１の位相差層４０は概ね除去されていることが好ましい。透過表示部７１のリタデーションを完全に０（ゼロ）にすることができ、また、反射表示部７２と透過表示部７１とで膜厚差を設定することができるからである。
【００４１】
この液晶表示装置は、例えば、次のようにして製造することができる。
【００４２】
まず、第２基板２０の反射表示部７２に上述した材料よりなる反射板５０を形成し、全面に配向膜４２を形成する。次いで、第１の実施の形態と同様にして、化１〜化４に示した重合可能なネマチック液晶モノマーと、界面活性剤と、光重合開始剤とを溶媒に混合し、この混合物をスピンコート等により配向膜４２上に塗布する。続いて、減圧処理を行い、真空中において溶媒を除去することにより液晶層を形成する。
【００４３】
そののち、加温により液晶相〜等方相にする配向処理を行い、室温冷却する。続いて、マスクを用いた露光により三次元架橋処理を施す。露光時の温度は室温、雰囲気は空気中で行うことができる。露光の方法については、第１の実施の形態と同様である。
【００４４】
露光したのち、主として有機溶剤を使用して現像する。有機溶剤は、材料を溶解させることができるものであれば特に限定されない。現像ののち、乾燥により現像液およびリンス液を除去する。これにより、液晶層を反射表示部７２のみに形成する。
【００４５】
三次元架橋処理を施した液晶層に対して、さらに架橋を促進させるために重合処理を施す。重合処理は、例えば空気または窒素雰囲気中で、１５０℃〜２３０℃程度で、０．５ｈ〜数時間の熱処理を施すこと（熱重合）により行う。これにより、液晶層内の分子が重合し、反射表示部７２のみに重合型液晶４１よりなる位相差層４０が形成される。
【００４６】
位相差層４０を形成したのち、第１基板１０と第２基板２０とを対向配置して外周を封止し、内部に液晶を注入することにより液晶層３０を形成する。以上により、図２に示した液晶表示装置が形成される。
【００４７】
この液晶表示装置では、図示しない一対の電極の間に所定の電圧が印加されると、液晶層３０の液晶分子の配向状態が変化して透過率が変化する。透過表示部７１では、バックライト（図示せず）から入射した光ｈ３は、液晶層３０を透過して取り出される。反射表示部７２では、第１基板１０側から入射した外光ｈ１は、反射膜５０によって反射され、その反射光ｈ２が取り出される。ここでは、第２基板２０の液晶層３０側に、重合型液晶４１よりなる位相差層４０が設けられており、重合性液晶４１が基板法線方向にツイストしているので、斜方向からの視野角特性が改善される。
【００４８】
このように本実施の形態では、第２基板２０の液晶層３０側に、重合型液晶４１よりなる位相差層４０が設けられており、重合型液晶４１が基板法線方向にツイストした状態で固定されているので、斜方向からの視野角特性を改善させることが可能となる。
【００４９】
（第３の実施の形態）
図３は、本発明の第３の実施の形態に係る半透過型の液晶表示装置の概略構成を表したものである。この液晶表示装置は、位相差層４０を第１基板１０の液晶層３０側に設けることにより、位相差層４０用の専用の基材を用いることなく位相差層４０を形成することができるようにし、更に製造しやすくしたことを除いては、上述した第２の実施の形態の半透過型のものと同様の構成、作用および効果を有し、同様にして製造することができる。
【００５０】
（具体例１）
図４は、図３に示した半透過型の液晶表示装置の具体例として、ＶＡモードの液晶表示装置の断面構成を表したものである。第１基板１０の液晶層３０側には、カラーフィルタ層１１およびブラックマトリクス１２，平坦化層としての保護層１３、配向膜４２、並びに位相差層４０が順に形成されている。このように、位相差層４０がカラーフィルタ層１１と一体となっていることにより、位相差層４０用の専用の基材を用いることなく、位相差層４０を形成することができ、更に製造しやすくすることができる。位相差層４０は、反射表示部７２のみに形成されている。配向膜４２および位相差層４０の表面には、共通電極８１および配向膜１４が形成されている。
【００５１】
カラーフィルタ層１１は、例えば、ブラックマトリックス１２の開口領域に、Ｒ（赤），Ｇ（緑），Ｂ（青）の３色のカラーフィルタが規則的に配列したものである。このカラーフィルタＲ，Ｇ，Ｂは、例えば、顔料分散型カラーフィルタ等であり、赤色、緑色および青色の成分のうちのいずれか１色を効果的に透過し、それ以外の２色の光を効果的に吸収するものであれば、特に限定されるものではない。また、透過型であっても反射型であってもよい。カラーフィルタＲ，Ｇ，Ｂの厚みは、それぞれ例えば１μｍ〜２μｍ程度である。
【００５２】
ブラックマトリックス１２は、画素毎の発光区域を区画すると共に、各色の区域どうしの境界における外光の反射の防止および画素間の光漏れを防止し、コントラストを高めるためのものである。このブラックマトリクス１２は、金属、金属酸化物および金属窒化物の薄膜層を積層してなり、例えば、ＣｒＯｘ（ｘは任意数）およびＣｒの積層からなる２層クロムブラックマトリクス、あるいは反射率を低減させたＣｒＯｘ、ＣｒＮｙおよびＣｒ（ｘ，ｙは任意数）の積層からなる３層クロムブラックマトリクスなどにより構成され、厚みは例えば０．２μｍ〜２．０μｍである。
【００５３】
保護層１３は、カラーフィルタ層１１を保護するためのものであり、例えばアクリル系樹脂やエポキシ系樹脂の混合物により構成されている。
【００５４】
共通電極８１は、例えばＩＴＯ（インジウム錫酸化物）などの透明電極により構成され、配向膜１４は、例えばポリイミド，ポリアミド，ポリメチルメタクリレートなどの樹脂材料によって構成されている。
【００５５】
第２基板２０の液晶層３０側には、ＴＦＴ（図示せず）に接続された画素電極８２と、反射膜５０とが順に形成されている。反射膜５０は、反射表示部７２のみに形成されている。画素電極２１および反射膜５０の上には、配向膜２１が形成されている。また、第２基板１０と第２偏光板６２との間には、位相差板９０が設けられている。
【００５６】
画素電極８２は、例えばＩＴＯなどの透明電極により構成され、配向膜２１は、例えばポリイミド，ポリアミド，ポリメチルメタクリレートなどの樹脂材料によって構成されている。
【００５７】
第２基板２０の裏側には、光源１０１および反射板１０２が配置されている。光源１０１としては、例えば、導光板などを用いたエッジライト型のバックライトが用いられ、第２偏光板６２側へ光が照射されるようになっている。但し、これに限らず、直下型のバックライトであってもよい。また、反射板１０２は光源１０１あるいは第２偏光板６２の側から戻ってきた光を拡散させて、再び表示光として利用する（リサイクル）ために設けられるものである。
【００５８】
第１基板１０および第２基板２０の外周は、封止層１１０により封止されている。
【００５９】
液晶層３０と第１偏光板６１との間には、図５に示したように、Ｚ方向に屈折率最大となる位相差板１２１が配置されていることが好ましい。斜方向観察時のコントラストを、より改善することができるからである。この位相差板１２１は、例えば、ポジティブＣプレートであることが好ましい。Ｚ方向が屈折率最大となる位相差板１２１を容易に形成することができるからである。
【００６０】
更に、液晶層３０と第１偏光板６１との間には、図６に示したように、Ａプレート１２２が配置されていることが好ましい。斜方向観察時のコントラストを、更に改善することができるからである。
【００６１】
位相差板１２１は、反射表示部７２と透過表示部７１とでリタデーションが異なることが好ましい。反射表示部７２と透過表示部７１とでリタデーションを変えることができ、透過特性および反射特性のそれぞれで表示品位を改善することができるからである。
【００６２】
（具体例２）
図７は、図３に示した半透過型の液晶表示装置の他の具体例として、横電界駆動モードの液晶表示装置の断面構成を表したものである。この液晶表示装置は、第２基板２０に共通電極８１および画素電極８２を有しており、共通電極８１と画素電極８２との間に電圧を印加した際に第１基板１０に対して略平行な電界を発生させることにより印加電圧に応じて液晶層３０のダイレクタを変化させるものである。このことを除いては、この液晶表示装置は、上述した具体例１と同様に構成されている。
【００６３】
第１基板１０の液晶層３０側には、カラーフィルタ層１１およびブラックマトリクス１２，平坦化層としての保護層１３、配向膜４２、並びに位相差層４０が順に形成されている。このように、位相差層４０がカラーフィルタ層１１と一体となっていることにより、位相差層４０用の専用の基材を用いることなく、位相差層４０を形成することができ、更に製造しやすくすることができる。位相差層４０は、反射表示部７２のみに形成されている。配向膜４２および位相差層４０の表面には、配向膜１４が形成されている。
【００６４】
第２基板２０の液晶層３０側には、反射膜５０、ＴＦＴ、共通電極８１および画素電極８２が、層間絶縁膜８３Ａ，８３Ｂ，８３Ｃを間にして順に形成されている。画素電極８２の上には、配向膜２１が形成されている。また、第２基板１０と第２偏光板６２との間には、位相差板９０が設けられている。
【００６５】
液晶層３０と第１偏光板６１との間には、図８に示したように、Ｚ方向に屈折率最大となる位相差板１２１が配置されていることが好ましい。斜方向観察時のコントラストを、より改善することができるからである。この位相差板１２１は、例えば、ポジティブＣプレートであることが好ましい。Ｚ方向が屈折率最大となる位相差板１２１を容易に形成することができるからである。
【００６６】
更に、液晶層３０と第１偏光板６１との間には、図９に示したように、Ａプレート１２２が配置されていることが好ましい。斜方向観察時のコントラストを、更に改善することができるからである。
【００６７】
位相差板１２１は、反射表示部７２と透過表示部７１とでリタデーションが異なることが好ましい。反射表示部７２と透過表示部７１とでリタデーションを変えることができ、透過特性および反射特性のそれぞれで表示品位を改善することができるからである。
【００６８】
図１０（Ａ）〜図１０（Ｃ）は、図７ないし図９に示した液晶表示装置の反射表示部７２における視野角特性のシミュレーション結果をそれぞれ表したものである。図１０から分かるように、位相差板１２１として＋Ｃプレートを追加することにより視野角の差が顕著になり、更にＡプレート１２２を追加することにより視野角の差がより顕著になる。なお、シミュレーションの条件としては、図１０（Ａ）では、位相差層４０のツイスト角を１９２°、リタデーションを２７０ｎｍとし、図１０（Ｂ）では、＋ＣプレートのＲｔｈを２１０ｎｍとし、図１０（Ｃ）では、＋ＣプレートのＲｔｈを１５０ｎｍ、＋ＡプレートのＲｅを４４０ｎｍ、遅相軸を０°とした。
【００６９】
図１１は、重合型液晶がツイストしていない場合について視野角特性のシミュレーション結果を表したものである。シミュレーション条件は、図１１（Ａ）は図１０（Ａ）と同様、図１１（Ｂ）は図１０（Ｂ）と同様とした。図１０（Ａ）と図１１（Ａ）とを比較すると、重合型液晶４１がツイストしている本実施の形態のほうが、視野角が若干広めになっていることが分かる。また、図１１（Ａ）と図１１（Ｂ）を比較すると、位相差板として＋Ｃプレートを追加することにより視野角はやや広くなるものの、図１０（Ｂ）に比べると、視野角の広がりは小さいことが分かる。
【００７０】
すなわち、位相差層４０の重合型液晶４１を基板法線方向にツイストさせることにより、斜方向からの視野角特性を改善させることが可能となることが分かった。
【００７１】
また、表１および表２は、図７ないし図９に示した液晶表示装置について、位相差層４０の重合型液晶４１のツイスト角を異ならせた場合の反射表示部７２におけるコントラストのシミュレーション結果を表したものである。
【００７２】
【表１】
2010049192.tif 000007
【００７３】
【表２】
2010049192.tif 000008
【００７４】
表１および表２に示したように、図７ないし図９に示した液晶表示装置のいずれにおいても、ツイスト角が１８０°〜２２０°または５°〜４５°の範囲内とすることにより、この範囲外の値とした場合よりもコントラストを高めることができることが分かる。
【００７５】
以上、実施の形態を挙げて本発明を説明したが、上記実施の形態に限定されず、種々変形が可能である。例えば、上記実施の形態では、液晶表示装置の構成を具体的に挙げて説明したが、必要に応じて、拡散性を有する層や反射機能を有する層等、他の層を備えていてもよい。
【図面の簡単な説明】
【００７６】
【図１】本発明の第１の実施の形態に係る液晶表示装置の概略構成を表す断面図である。
【図２】本発明の第２の実施の形態に係る液晶表示装置の概略構成を表す断面図である。
【図３】本発明の第３の実施の形態に係る液晶表示装置の概略構成を表す断面図である。
【図４】本発明の第３の実施の形態に係る液晶表示装置の具体的構成を表す断面図である。
【図５】図４の変形例を表す断面図である。
【図６】図４の他の変形例を表す断面図である。
【図７】本発明の第３の実施の形態に係る液晶表示装置の他の具体的構成を表す断面図である。
【図８】図７の変形例を表す断面図である。
【図９】図７の変形例を表す断面図である。
【図１０】図７ないし図９に示した液晶表示装置の反射表示部のコントラストのシミュレーション結果を表す図である。
【図１１】従来の液晶表示装置の反射表示部のコントラストのシミュレーション結果を表す図である。
【符号の説明】
【００７７】
１０…第１基板、１１…カラーフィルタ、１２…ブラックマトリクス、２０…第２基板、３０…液晶層、４０…位相差層、４１…重合型液晶、４２…配向膜、５０…反射板、６１…第１偏光板、６２…第２偏光板、７１…透過表示部、７２…反射表示部、８１…共通電極、８２…画素電極、９０…位相差板、１０１…光源、１０２…反射板、１１０…封止層、１２１…位相差板（＋Ｃプレート）、１２２…Ａプレート。
【図１】
2010049192.tif 000009
【図２】
2010049192.tif 000010
【図３】
2010049192.tif 000011
【図４】
2010049192.tif 000012
【図５】
2010049192.tif 000013
【図６】
2010049192.tif 000014
【図７】
2010049192.tif 000015
【図８】
2010049192.tif 000016
【図９】
2010049192.tif 000017
【図１０】
2010049192.tif 000018
【図１１】
2010049192.tif 000019